(57)【要約】  簡易な信号処理にてサラウンドシステムをフロントスピーカにて実現する立体音響再生装置を提供すること。  サラウンドシステム１００は、サラウンドスピーカを設置せずに、当該サラウンドスピーカにて拡声すべきサラウンド信号に対してオールパスフィルタを用いたフィルタ処理を行い、当該フィルタ処理されたサラウンド信号を聴取位置に対して前方に設けられたフロントスピーカのみによって拡声するとともに、当該サラウンド信号があたかも側方または後方に設置されたサラウンドスピーカから拡声されたように、当該サラウンド信号の音像定位を制御するようになっている。
2007108301.tif 000002
【特許請求の範囲】
【請求項１】
入力された複数の音響信号に基づいて複数のスピーカを拡声させ、聴取者に対して臨場感のある音場空間を提供する立体音響再生装置であって、
前記聴取者の聴取位置に対して右方向から聴取させる音響信号を示す右信号および左方向から聴取させる音響信号を示す左信号を、聴取位置の前方から拡声させるための信号処理を行う信号処理手段と、
前記信号処理された右信号および左信号を前記聴取位置に対して前方に配置されたスピーカから出力させる出力手段と、
を備え、
前記信号処理手段が、
前記拡声すべき右信号および左信号の全ての周波数成分の位相のみを一体的に調整するフィルタ処理を行うことによって、前方のスピーカから拡声された右信号の音像を前記聴取者の右側に形成させるとともに、前方のスピーカから拡声された左信号の音像を前記聴取者の左側に形成させるための信号処理を行うことを特徴とする立体音響再生装置。
【請求項２】
請求項１に記載の立体音響再生装置において、
前記信号処理手段が、所定の条件を具備する位相特性を用いて前記フィルタ処理を行うことを特徴とする立体音響再生装置。
【請求項３】
請求項２に記載の立体音響再生装置において、
前記信号処理手段が、
聴覚上音像定位が敏感な周波数帯域に対して前記所定条件を具備する位相特性を用いて前記フィルタ処理を行うことを特徴とする立体音響再生装置。
【請求項４】
請求項１乃至３の何れか一項に記載の立体音響再生装置において、
前記信号処理手段が、オールパスフィルタを用いて前記フィルタ処理を行うことを特徴とする立体音響再生装置。
【請求項５】
請求項１乃至４の何れか一項に記載の立体音響再生装置において、
前記出力手段が、前記フィルタ処理された右信号および左信号を前記臨場感のある音場空間を形成する際に主成分となるメイン信号と同一のスピーカから出力させることを特徴とする立体音響再生装置。
【請求項６】
請求項１乃至５の何れか一項に記載の立体音響再生装置において、
前記右信号及び前記左信号は、夫々、前記音場空間をサラウンド音場空間とするための右サラウンド信号及び左サラウンド信号であることを特徴とする立体音響再生装置。
【請求項７】
請求項１乃至５の何れか一項に記載の立体音響再生装置において、
前記右信号及び前記左信号は、夫々、前記音場空間をサラウンド音場以外のステレオ音場とするための右ステレオ信号及び左ステレオ信号であることを特徴とする立体音響再生装置。
【請求項８】
請求項１乃至７の何れか一項に記載の立体音響再生装置に含まれるコンピュータを、前記信号処理手段として機能させることを特徴とする立体音響再生用プログラム。
【発明の詳細な説明】
【技術分野】
【０００１】
本願は、臨場感のある音響再生を行う立体音響再生装置の技術分野に属する。
【背景技術】
【０００２】
近年、センタースピーカ、左右のフロントスピーカまたは左右のリアスピーカなどの複数のスピーカにそれぞれ再生音の役割を持たせ、各スピーカ毎に残響音の付加、周波数特性の変更を行うことにより、音声または音楽などの音を拡声するサラウンドシステムが実用に供されている。【０００３】
このようなサラウンドシステムの代表的なものに、聴取者の前方にセンタースピーカおよびその左右に配置されるフロントスピーカと、当該聴取者の左右のリアまたは側方に配置されるサラウンドスピーカと、１２０Ｈｚ以下の低域だけを専用に拡声するサブウーファーと、から構成されるドルビー（登録商標）デジタル方式の５．１ｃｈ（チャンネル）サラウンド方式が知られており、最近では、サラウンドスピーカ（リアスピーカ）などを用いずにフロントスピーカのみでまたはヘッドホンによってサラウンドシステムを実現するものも製品化されている。【０００４】
特に、ヘッドホンによってサラウンドシステムを実現するシステムとしては、拡声すべき音響信号の全ての周波数成分の位相のみを一体的に調整するオールパスフィルタを用いてメイン信号やサラウンド信号の信号処理を行い、各信号に音像定位を形成させて臨場感のある音場空間を提供するようになっている（例えば、特許文献１）。
【特許文献１】特開２００２−２６２３８５号公報
【発明の開示】
【発明が解決しようとする課題】
【０００５】
しかしながら、上述のサラウンドシステムにあっては、オールパスフィルタを用いることによって簡易な信号処理によりサラウンドシステムを実現するものの、当該サラウンドシステムは、ヘッドホンを用いたサラウンドシステムであって、スピーカ受聴を前提としたシステムでないため、複数の聴取者にて聴取する場合に人数分のヘッドホンが必要になるなど、システムの拡張性に乏しい。【０００６】
本願は、上記の各問題点に鑑みて為されたもので、その課題の一例としては、簡易な信号処理にてサラウンドシステムをフロントスピーカにて実現する立体音響再生装置を提供することにある。
【課題を解決するための手段】
【０００７】
上記の課題を解決するために、請求項１に記載の発明は、入力された複数の音響信号に基づいて複数のスピーカを拡声させ、聴取者に対して臨場感のある音場空間を提供する立体音響再生装置であって、前記聴取者の聴取位置に対して右方向から聴取させる音響信号を示す右信号および左方向から聴取させる音響信号を示す左信号を、聴取位置の前方から拡声させるための信号処理を行う信号処理手段と、前記信号処理された右信号および左信号を前記聴取位置に対して前方に配置されたスピーカから出力させる出力手段と、を備え、前記信号処理手段が、前記拡声すべき右信号および左信号の全ての周波数成分の位相のみを一体的に調整するフィルタ処理を行うことによって、前方のスピーカから拡声された右信号の音像を前記聴取者の右側に形成させるとともに、前方のスピーカから拡声された左信号の音像を前記聴取者の左側に形成させるための信号処理を行う構成を有している。【０００８】
上記の課題を解決するために、請求項８に記載の発明は、請求項１乃至７の何れか一項に記載の立体音響再生装置に含まれるコンピュータを、前記信号処理手段として機能させる。
【図面の簡単な説明】
【０００９】
【図１】本願に係る一実施形態のサラウンドシステムにおける構成を示すブロック図である。
【図２】一実施形態のサラウンドシステムにおける各スピーカ配置の説明をするための一例である。
【図３】一実施形態の音像制御を説明するための図である。
【図４】一実施形態においてオールパスフィルタを用いた理由を説明するための図である。
【図５】一実施形態の信号処理部における構成を示すブロック図である。
【図６】一実施形態において、最適な位相特性に対して設計条件を加味して調整された位相特性θ（ｒａｄ）について説明するための図（Ｉ）である。
【図７】一実施形態において、最適な位相特性に対して設計条件を加味して調整された位相特性θ（ｒａｄ）について説明するための図（II）である。
【図８】一実施形態のフィルタ処理部の構成を示す構成図である。
【図９】変形形態の音像制御を説明するための図である。
【符号の説明】
【００１０】
１００    サラウンドシステム
１１０    音源出力装置
１２０    信号処理装置
１２２    Ｄ／Ａ変換器
１２３    電力増幅器
１２４    操作部
１２５    システム制御部
１３０    スピーカシステム
１３１    センタースピーカ
１３２    ＦＬ（フロント左）スピーカ
１３３    ＦＲ（フロント右）スピーカ
１３６    サブウーハ
２００    信号処理部
２０１    デコーダ
２０２    ＤＳＰ処理部
２０３    フィルタ処理部
２０５    加算処理部
【発明を実施するための最良の形態】
【００１１】
次に、本願に好適な実施の形態について、図面に基づいて説明する。
なお、以下に説明する実施形態は、５．１ｃｈのサラウンドシステム（以下、単に、サラウンドシステムという。）に対して本願の立体音響再生装置を適用した場合の実施形態である。【００１２】
まず、図１および図２を用いて本実施形態におけるサラウンドシステムの構成について説明する。なお、図１は、本実施形態のサラウンドシステムの構成を示すブロック図であり、図２は、本実施形態のサラウンドシステムにおける各スピーカ配置の説明をするための一例である。【００１３】
本実施形態のサラウンドシステム１００は、図１に示すように、リスニングルーム１０、すなわち、聴取者に対して再生される音を提供するための音場空間に設置されるようになっている。また、このサラウンドシステム１００は、記録メディアなどの音源を再生することにより、または、テレビジョン信号などの外部から音源を取得することにより、各スピーカに対応するチャンネル（以下、「チャネル」とも言う。）毎に当該各チャンネルに該当するオーディオ信号を出力する音源出力装置１１０と、当該音源出力装置１１０から出力された複数チャンネル毎に信号処理を行うとともに、全ての周波数成分の位相のみを一体的に調整するオールパスフィルタを用いたフィルタ処理を行う信号処理装置１２０と、各チャンネルに対応する各種のスピーカからなるスピーカシステム１３０と、から構成される。【００１４】
そして、本実施形態のサラウンドシステム１００は、音源を再生または取得する場合に、当該再生されたまたは取得された音に対して所定の信号処理を行うとともに、複数のスピーカからなるスピーカシステム１３０によって信号処理された音を各スピーカ毎に拡声し、聴取者に対して臨場感（サラウンド感）のある音場空間を提供することができるようになっている。【００１５】
特に、本実施形態のサラウンドシステム１００は、側方または後方に配置するサラウンド用のスピーカ（以下、「サラウンドスピーカ」という。）を設置せずに、当該サラウンドスピーカにて拡声すべきオーディオ信号（以下、「サラウンド信号」という。）に対してオールパスフィルタを用いたフィルタ処理を行い、当該フィルタ処理されたサラウンド信号を聴取位置に対して前方に設けられたスピーカ（以下、「フロントスピーカ」という。）のみによって拡声するようになっている。そして、このサラウンドシステム１００は、当該サラウンド信号があたかも側方または後方に設置されたサラウンドスピーカから拡声されたように、当該サラウンド信号の音像定位を制御するようになっている。【００１６】
音源出力装置１１０は、例えば、ＣＤ（Compact Disc）またはＤＶＤ（Digital Versatile Disc）などのメディア再生装置またはデジタルテレビジョン放送を受信する受信装置から構成され、ＣＤなどの音源を再生することにより、または、放送された音源を取得するとともに、５．１ｃｈに対応する各チャンネル毎のオーディオ信号をデジタル信号によって信号処理装置１２０に出力するようになっている。【００１７】
信号処理装置１２０には、音源出力装置１１０から出力された各チャンネル毎のオーディオ信号が入力されるようになっている。また、この信号処理装置１２０は、システム制御部１２５の制御の下、入力された各チャンネル毎のオーディオ信号に対して遅延時間の付加、残響時間の付加または各周波数成分の調整を行うとともに、オールパスフィルタを用いたフィルタ処理を行うようになっており、当該信号処理された各オーディオ信号をアナログ信号に変換して信号レベルを調整するようになっている。そして、この信号処理装置１２０は、信号レベルが調整された各オーディオ信号をスピーカシステム１３０の各スピーカに出力するようになっている。【００１８】
なお、本実施形態における信号処理装置１２０の構成およびその動作の詳細については、後述する。【００１９】
さらに、スピーカシステム１３０は、聴取者の前方正面に配置されるセンタースピーカ１３１と、聴取者の前方に配置されるとともにセンタースピーカ１３１の右側または左側に配置されるフロントスピーカ（以下、右側のフロントスピーカを「ＦＲスピーカ」といい、左側のフロントスピーカを「ＦＬスピーカ」という。）１３２ＦＲ、１３２ＦＬと、聴取者の前方に配置されるとともに、任意の位置に配置される低域再生用スピーカ（以下、「サブウーハ」という。）１３４と、を有し、例えば、図２に示すように配置されるようになっている。【００２０】
なお、チャンネルとは、音源出力装置１１０から出力されるオーディオ信号の信号伝送路をいい、各チャンネルは、他のチャンネルと基本的には異なるオーディオ信号を伝送するようになっている。【００２１】
次に、上述と同様に図１を用いるとともに、図３および図４を用いて本実施形態の信号処理装置１２０の構成およびその動作について説明する。なお、図３は、本実施形態の音像制御を説明するための図であり、図４は、本実施形態においてオールパスフィルタを用いた理由を説明するための図である。【００２２】
通常、サラウンドスピーカが聴取者に対して左側方に設置されている場合に、当該サラウンドスピーカから所定の音が拡声されると、図３（ａ）に示すように、聴感上、右耳より左耳にて聴取される音のレベルが大きくなり、当該サラウンドスピーカから拡声された音の音像は、当該サラウンドスピーカが設置されている場所に形成される。【００２３】
一方、図３（ｂ）に示すように、聴取者に対して左前方に設置されたスピーカ、すなわち、左側のフロントスピーカから所定の音が拡声されると、聴感上、左耳にて聴取される音のレベルが右耳より多少大きくなり、当該左フロントスピーカから拡声された音の音像は、当該左フロントスピーカが設置されている場所に形成される。【００２４】
このため、図３（ｃ）のように、通常、聴取者に対して左側方に設置されたサラウンドスピーカに拡声するサラウンド信号をフロントスピーカにて拡声する場合に、図３（ａ）と同様に、聴感上、両耳間に生ずる音のレベルを調整すれば、フロントスピーカから拡声された音であっても、その音の音像は、聴取者に対して左側方にサラウンドスピーカが設置された場合と同様に、当該サラウンドスピーカが設置されるべき場所に形成されることになる。【００２５】
そこで、本実施形態の信号処理装置１２０は、サラウンド信号を左右のフロントスピーカから拡声させるとともに、聴取位置にて両耳間にて音のレベル差が生ずるように、各周波数成分毎に各フロントスピーカから拡声させる際の遅延時間を付加し、すなわち、左右のフロントスピーカによって所定の位相差を与え、サラウンド信号成分を聴取位置において増幅し、または、打ち消し、フロントスピーカにて拡声した場合であっても、あたかも側方または後方に設置されたサラウンドスピーカから拡声されたように、音像を制御するようになっている。【００２６】
また、本実施形態の信号処理装置１２０は、サラウンド信号に対して各周波数成分の位相を変化させる際に、全ての周波数成分の位相のみを一体的に調整するオールパスフィルタを用いるようになっている。【００２７】
通常、本実施形態において、バンドパスフィルタを用いて所定の周波数帯域毎に位相を変化させることも可能である。しかしながら、バンドパスフィルタでは、図４に示すように、通過させる周波数帯域（通過域）と遮断する周波数帯域（減衰域）を厳密に区切ることができず、通過させる周波数帯域（通過域）と遮断する周波数帯域（減衰域）の間に遷移領域（遷移域）が存在することとなるため、バンドパスフィルタにて位相変化させた各周波数帯域を再度加算する場合に、遷移領域の周波数成分において振幅レベルの差が発生してしまう。【００２８】
また、バンドパスフィルタを用いる場合には、有限インパルス応答（ＦＩＲ：Finite Impulse Response）型のフィルタ処理を行う必要があるため、フィルタ処理を行う際の演算量が多くなってしまう。【００２９】
そこで、本実施形態の信号処理装置１２０は、的確にフィルタ処理を行うため、かつ、当該フィルタ処理を行う際の演算量を低減させるため、サラウンド信号に対して各周波数成分の位相を変化させる際に、全ての周波数成分の位相のみを一体的に調整するオールパスフィルタを用いるようになっている。【００３０】
ただし、本実施形態の信号処理装置１２０は、オールパスフィルタを適用するために、所定の条件、すなわち、
（１）角周波数ω（ｒａｄ）＝０のとき、位相特性θ（ｒａｄ）＝０、
（２）角周波数ω（ｒａｄ）＝πのとき、位相特性θ（ｒａｄ）＝−Ｎπ（Ｎはフィルタの次数）、
（３）角周波数ω（ｒａｄ）に対して位相特性θ（ｒａｄ）は単調減少、
の条件を具備させつつ、フィルタ処理を行うようになっている。【００３１】
具体的には、本実施形態の信号処理装置１２０は、図１に示すように、各チャンネル成分を有する所定の形式のビットストリームデータが入力され、各チャンネル毎のオーディオ信号にデコードする際に用いる信号形式のオーディオデータに変換する入力処理部１２１と、変換されたオーディオデータを各チャンネル毎のオーディオ信号にデコードするとともに、各チャンネル毎に信号処理、特に、サラウンド信号に対して全ての周波数成分の位相のみを一体的に調整するフィルタ処理を行い、フロントスピーカから拡声するための信号処理を行う信号処理部２００と、を有している。【００３２】
また、この信号処理装置１２０は、各チャンネルのオーディオ信号に対してデジタル／アナログ（以下、Ｄ／Ａという。）変換を行うＤ／Ａ変換器１２２と、各チャンネル毎に各チャンネルの信号の信号レベルを増幅する電力増幅器１２３と、各部を操作するための操作部１２４と、操作部１２４の操作に基づいて各部を制御するシステム制御部１２５と、を有している。【００３３】
なお、例えば、本実施形態のＤＳＰ処理部２０２は、本願の信号処理手段を構成し、電力増幅器１２３は、本願の出力手段を構成する。【００３４】
入力処理部１２１には、各チャンネル成分を有する所定の形式のビットストリームデータが入力されるようになっており、この入力処理部１２１は、入力されたビットストリームデータを所定形式のオーディオデータに変換し、当該変換されたオーディオデータを信号処理部２００に出力するようになっている。【００３５】
例えば、入力処理部１２１は、入力されたビットストリームデータを３線式オーディオシリアルインターフェースのオーディオデータに変換するようになっており、具体的には、ビットストリームデータを、ビットクロック信号、ＬＲクロック信号および圧縮音声データに変換して信号処理部２００に出力するようになっている。【００３６】
信号処理部２００には、入力処理部１２１から出力されたオーディオデータが入力されるようになっており、この信号処理部２００は、入力されたオーディオデータを各チャンネル毎のオーディオ信号にデコードするとともに、各チャンネル毎に所定の信号処理を行い、各チャンネル毎にオーディオ信号をそれぞれ各Ｄ／Ａ変換器１２２に出力するようになっている。【００３７】
なお、本実施形態における信号処理部２００の構成およびその動作の詳細については、後述する。【００３８】
Ｄ／Ａ変換器１２２には、各チャンネル毎にそれぞれ信号処理が行われた各オーディオ信号が入力されるようになっており、このＤ／Ａ変換器１２２は、入力されたデジタル信号である各オーディオ信号をアナログ信号に変換して各電力増幅器１２３にそれぞれ出力するようになっている。【００３９】
電力増幅器１２３には、各チャンネル毎に信号処理されたオーディオ信号が入力されるようになっており、この電力増幅器１２３は、システムシステム制御部１２５の制御の下、操作部１２４よって指定された音量の指示に基づいて各チャンネル毎のオーディオ信号の信号レベルを増幅し、増幅された各オーディオ信号を各チャンネルに対応する各スピーカに出力するようになっている。【００４０】
操作部１２４は、各種確認ボタン、選択ボタン及び数字キー等の多数のキーを含むリモートコントロール装置または各種キーボタンにより構成されている。【００４１】
システム制御部１２５は、各スピーカよりオーディオ信号を拡声して立体音響再生を行うための全般的な機能を総括的に制御するようになっている。【００４２】
次に、図５〜図８を用いて本実施形態の信号処理部２００の構成およびその動作について説明する。なお、図５は、本実施形態の信号処理部２００における構成を示すブロック図であり、図６および図７は、本実施形態において、最適な位相特性に対して設計条件を加味して調整された位相特性θ（ｒａｄ）について説明するための図である。また、図８は、本実施形態のフィルタ処理部２０３の構成を示す構成図である。【００４３】
本実施形態の信号処理部２００は、図５に示すように、入力されたオーディオデータを各チャンネル毎のオーディオ信号にデコードするデコーダ２０１と、ユーザの操作部１２４の操作により所定のデジタル信号処理を行うＤＳＰ処理部２０２と、サラウンド信号に対してフィルタ処理を行うフィルタ処理部２０３と、フィルタ処理されたサラウンド信号を、フロントスピーカから拡声するためのＤＳＰ処理されたオーディオ信号（以下、「メイン信号」という。）に信号レベルを調整しつつ加算する加算処理部２０５と、から構成される。【００４４】
デコーダ２０１には、入力されたオーディオデータ、例えば、ビットクロック信号、ＬＲクロック信号および圧縮音声データが入力されるようになっており、このデコーダ２０１は、入力されたオーディオデータを、各チャンネル毎のオーディオ信号にデコードし、各チャンネル毎にＤＳＰ処理部２０２に出力するようになっている。【００４５】
ＤＳＰ処理部２０２には、各チャンネル毎にデコードされたオーディオ信号が入力されるようになっており、このＤＳＰ処理部２０２は、システム制御部１２５の制御の下、操作部１２４から入力された指示に基づいて所定のデジタル信号処理を行い、信号処理された各チャンネル毎のオーディオ信号をフィルタ処理部２０３、加算処理部２０５またはＤ／Ａ変換部に出力するようになっている。【００４６】
例えば、ＤＳＰ処理部２０２は、操作部１２４により、教会、スタジアム、または特定のホールなどの音場設定（以下、単に、「音場設定」という。）が行われた場合に、当該音場にて、入力されたオーディオデータが拡声されるように、各チャンネル毎に遅延処理、周波数特性の補正処理、任意のオーディ信号における他のチャンネルのオーディオ信号への加算処理などデジタル信号処理を行うようになっている。【００４７】
なお、本実施形態では、サラウンド信号に対してフィルタ処理を行うつつ、メイン信号に加算するため、このＤＳＰ処理部２０２は、サラウンド信号については加算処理部２０５およびフィルタ処理部２０３に、メイン信号については加算処理部２０５にそれぞれ出力するようになっている。【００４８】
また、センタースピーカ１３１から拡声されるオーディオ信号（以下、「センタ信号」という。）およびサブウーハ１３４から拡声されるオーディオ信号（以下、「ウーハ信号」という。）には、フィルタ処理を行う必要がないので、このＤＳＰ処理部２０２は、センタ信号およびウーハ信号をそれぞれＤ／Ａ変換器１２２に直接的に出力するようになっている。【００４９】
フィルタ処理部２０３は、サラウンド信号毎に設けられ、各サラウンド信号毎に、各周波数成分の遅延量が付加されたサラウンド信号（以下、「サラウンド生成信号」という。）を生成し、加算処理部２０５に出力する。【００５０】
加算処理部２０５は、当該サラウンド生成信号を遅延量が付加されていないサラウンド信号（以下、「サラウンド通常信号」という。）に加算しつつ、メイン信号に加算するようになっている。【００５１】
本実施形態の各フィルタ処理部２０３には、それぞれ、各サラウンド信号が入力されるようになっている。また、この各フィルタ処理部２０３は、入力されたサラウンド信号に対して各周波数成分に遅延処理を行う場合に、当該遅延処理を位相変化とみなし、最適な遅延量を位相に換算してフィルタ処理を行うようになっている。そして、この各フィルタ処理部２０３は、実験により算出された最適な位相特性に対して上述のオールパスフィルタの設計条件に適合させた位相特性、すなわち、各位相差（位相値）を用いて全ての周波数成分の位相のみを一体的に調整するフィルタ処理を実行するようになっている。【００５２】
具体的には、本実施形態の各フィルタ処理部２０３は、フィルタ処理を行う場合に、遅延時間に角周波数ω（ｒａｄ）を乗算して位相値に換算し、当該換算された各周波数成分の位相値を用いて入力されたサラウンド信号に対して各周波数成分の位相を変化させるフィルタ処理を行うようになっている。【００５３】
また、本実施形態では、実験により算出された最適値に対して上述のオールパスフィルタの設計条件に適合させる位相値を用いてフィルタ処理を行うため、特に、設計条件として角周波数ω（ｒａｄ）に対して位相特性θ（ｒａｄ）を単調減少させるため、最適と算出された位相特性が周波数の増加に対して単調減少するよう調整しており、本実施形態のフィルタ処理部２０３は、当該調整された位相特性（位相値）を用いることによって、フィルタ処理を行うようになっている。【００５４】
例えば、本実施形態では、図６（ａ）および同図（ｂ）に示すように、最適な位相特性θ（ｒａｄ）が単調減少でない場合には、当該位相特性θ（ｒａｄ）が単調減少になるように、すなわち、位相特性θ（ｒａｄ）が単調減少であり、かつ、元の特性との誤差がなるべく小さくなるような位相特性を示すように、当該位相特性を調整し、本実施形態のフィルタ処理部２０３は、当該調整された位相特性を用いることによって、フィルタ処理を行うようになっている。【００５５】
なお、最適な位相特性θ（ｒａｄ）が単調減少でない場合に、例えば、図７（ａ）および同図（ｂ）に示すように、聴感上最も敏感である５００Ｈｚ〜２ｋＨｚを中心に位相特性θ（ｒａｄ）を調整してもよい。特に、この周波数帯域において、図７（ｂ）に示すように、その位相特性が増加する場合であっても、全体的には単調減少となるように位相特性を調整し、当該調整された位相特性を用いてフィルタ処理を行うようにしてもよい。これにより、本実施形態では、さらに的確に音像制御を行うことができるようになる。【００５６】
一方、本実施形態の各フィルタ処理部２０３は、図８に示すように、例えば、ｎ列縦続接続した２次の無限インパルス応答（ＩＩＲ：Infinite Impulse Response）フィルタを用いて構成し、全ての周波数成分の位相のみを一体的に調整するフィルタ処理を実行するようになっている。【００５７】
なお、図８において、（Ｚ−１）は、サンプリングの１周期だけ遅延させる遅延素子を示し、ＡおよびＢは、所定の係数を示す。【００５８】
加算処理部２０５には、各メイン信号、各サラウンド信号および各フィルタ処理部２０３から出力されたサラウンド信号が入力されるようになっており、システム制御部１２５の制御の下、サラウンド信号をメイン信号に加算し、当該各メイン信号をそれぞれの各Ｄ／Ａ変換器１２２に出力するようになっている。【００５９】
具体的には、本実施形態の加算処理部２０５は、フィルタ処理された各サラウンド生成信号を左右異なる成分のサラウンド通常信号に、信号レベルを調整しつつ、加算するとともに、各サラウンド生成信号が加算されたサラウンド通常信号を左右異なる成分のメイン信号に加算するようになっている。【００６０】
例えば、本実施形態の加算処理部２０５は、左サラウンドスピーカにて拡声すべき左側のサラウンドスピーカ用のサラウンド信号（以下、「左サラウンド信号」という。）に対しては、フィルタ処理された右側のサラウンドスピーカ用のサラウンド生成信号（以下、「右サラウンド生成信号」という。）を加算し、かつ、ＦＬスピーカ１３２ＦＬに出力するメイン信号（以下、「左メイン信号」という。）に加算するようになっている。また、本実施形態の加算処理部２０５は、右サラウンドスピーカにて拡声すべき右サラウンドスピーカ用のサラウンド信号（以下、「右サラウンド信号」という。）に対しては、フィルタ処理された左サラウンドスピーカ用のサラウンド生成信号（以下、「左サラウンド生成信号」という。）を加算し、かつ、ＦＲスピーカ１３２ＦＲに出力するメイン信号（以下、「右メイン信号」という。）に加算するようになっている。【００６１】
以上本実施形態の信号処理装置１２０は、入力された複数のオーディオ信号に基づいて複数のスピーカを拡声させ、聴取者に対して臨場感のある音場空間を提供する信号処理装置１２０であって、聴取者の聴取位置に対して右方向から聴取させるオーディオ信号を示す右サラウンド信号および左方向から聴取させるオーディオ信号を示す左サラウンド信号を、聴取位置の前方から拡声させるための信号処理を行う信号処理部２００と、信号処理された右サラウンド信号および左サラウンド信号を聴取位置に対して前方に配置されたスピーカから出力させる電力増幅器１２３と、を備え、信号処理部２００が、拡声すべき右サラウンド信号および左サラウンド信号の全ての周波数成分の位相のみを一体的に調整するフィルタ処理を行うことによって、前方のスピーカから拡声された右サラウンド信号の音像を聴取者の右側に形成させるとともに、前方のスピーカから拡声された左サラウンド信号の音像を聴取者の左側に形成させるための信号処理を行う構成を有している。【００６２】
この構成により、本実施形態の信号処理装置１２０は、拡声すべき右サラウンド信号および左サラウンド信号の全ての周波数成分の位相のみを一体的に調整するフィルタ処理を行うことによって、前方のスピーカから拡声された右サラウンド信号の音像を聴取者の右側に形成させるとともに、前方のスピーカから拡声された左サラウンド信号の音像を聴取者の左側に形成させるための信号処理を行う。【００６３】
したがって、本実施形態の信号処理装置１２０は、サラウンドスピーカを配置することなく、左サラウンド信号および右サラウンド信号の音像をそれぞれサラウンドスピーカが存在すべき位置に形成することができるとともに、バンドパスフィルタおよび有限インパルス応答（ＦＩＲ：Finite Impulse Response）型のフィルタ処理などバンドパスフィルタを用いた遅延処理（フィルタ処理）に比べ、演算量を低減することができ、およびフィルタ処理における振幅レベルの不整合性を生じさせないので、簡易な信号処理にてサラウンドシステム１００をフロントスピーカのみよって実現することができる。【００６４】
また、本実施形態の信号処理装置１２０は、信号処理部２００が、オールパスフィルタの設計条件を具備する位相特性を用いてフィルタ処理を行う構成を有している。【００６５】
この構成により、本実施形態の信号処理装置１２０は、フィルタ処理を行う際にオールパスフィルタを用いることができるので、バンドパスフィルタおよび有限インパルス応答型のフィルタ処理などバンドパスフィルタを用いた遅延処理に比べ、演算量を低減することができるとともに、フィルタ処理における振幅レベルの不整合性を生じさせない。【００６６】
なお、上述した実施形態では、聴取者に対してサラウンド音場としての音場空間を提供するサラウンドシステム１００に対して本願を適用した場合（図３参照）について説明したが、これ以外に、例えば図９に例示するように、現実のフロントスピーカの位置よりも聴取者から見てより外側に拡がった位置に仮想の音像が定位するような音場空間を提供する音響システムに対して本願を適用することも可能である。【００６７】
この場合には、信号処理部２００における処理に供される遅延量等のパラメータを、予め設定されている仮想音像の位置（図９参照）から音が聞こえる各パラメータとなるように設定することとなる。【００６８】
より具体的には、信号処理部２００の処理によって生じさせる両耳間の音のレベル差を、仮想音像の位置にスピーカを配置した場合に生ずる両耳間の音のレベル差に一致させるように、各パラメータを設定すればよい。【００６９】
この構成より、例えば通常のステレオ信号（サラウンド音場用のサラウンド信号以外のステレオ信号）を再生する場合でも、対応する音像を現実のフロントスピーカの位置よりもより外側に定位させることで、より広がりのあるステレオ信号の再生を実現することができる。
【図１】
2007108301.tif 000003
【図２】
2007108301.tif 000004
【図３】
2007108301.tif 000005
【図４】
2007108301.tif 000006
【図５】
2007108301.tif 000007
【図６】
2007108301.tif 000008
【図７】
2007108301.tif 000009
【図８】
2007108301.tif 000010
【図９】
2007108301.tif 000011
【手続補正書】
【提出日】平成19年11月14日(2007.11.14)
【手続補正１】
【補正対象書類名】特許請求の範囲
【補正対象項目名】請求項１
【補正方法】変更
【補正の内容】
【請求項１】
入力された複数の音響信号に基づいて複数のスピーカを拡声させ、聴取者に対して臨場感のある音場空間を提供する立体音響再生装置であって、
前記聴取者の聴取位置に対して右方向から聴取させる音響信号を示す右信号および左方向から聴取させる音響信号を示す左信号を、聴取位置の前方から拡声させるための信号処理を行う信号処理手段と、
前記信号処理された右信号および左信号を前記聴取位置に対して前方に配置されたスピーカから出力させる出力手段と、
を備え、
前記信号処理手段が、
前方のスピーカから拡声された右信号の音像を前記聴取者の右側に形成させるとともに、前方のスピーカから拡声された左信号の音像を前記聴取者の左側に形成させるために前記右信号及び前記左信号夫々に与えるべき遅延を、当該右信号及び当該左信号夫々に与えるべき位相変化に変換するフィルタ処理を、前記信号処理として前記拡声すべき右信号および左信号の全ての周波数成分について行うことを特徴とする立体音響再生装置。
【手続補正２】
【補正対象書類名】明細書
【補正対象項目名】０００２
【補正方法】変更
【補正の内容】
【０００２】
必要になるなど、システムの拡張性に乏しい。
［０００６］
本願は、上記の各問題点に鑑みて為されたもので、その課題の一例としては、簡易な信号処理にてサラウンドシステムをフロントスピーカにて実現する立体音響再生装置を提供することにある。
課題を解決するための手段
［０００７］
上記の課題を解決するために、請求項１に記載の発明は、入力された複数の音響信号に基づいて複数のスピーカを拡声させ、聴取者に対して臨場感のある音場空間を提供する立体音響再生装置であって、前記聴取者の聴取位置に対して右方向から聴取させる音響信号を示す右信号および左方向から聴取させる音響信号を示す左信号を、聴取位置の前方から拡声させるための信号処理を行う信号処理手段と、前記信号処理された右信号および左信号を前記聴取位置に対して前方に配置されたスピーカから出力させる出力手段と、を備え、前記信号処理手段が、前方のスピーカから拡声された右信号の音像を前記聴取者の右側に形成させるとともに、前方のスピーカから拡声された左信号の音像を前記聴取者の左側に形成させるために前記右信号及び前記左信号夫々に与えるべき遅延を、当該右信号及び当該左信号夫々に与えるべき位相変化に変換するフィルタ処理を、前記信号処理として前記拡声すべき右信号および左信号の全ての周波数成分について行う構成を有している。
［０００８］
上記の課題を解決するために、請求項８に記載の発明は、請求項１乃至７の何れか一項に記載の立体音響再生装置に含まれるコンピュータを、前記信号処理手段として機能させる。
図面の簡単な説明
［０００９］
［図１］本願に係る一実施形態のサラウンドシステムにおける構成を示すブロック図である。
［図２］一実施形態のサラウンドシステムにおける各スピーカ配置の説明をするための一例である。
［図３］一実施形態の音像制御を説明するための図である。
［図４］一実施形態においてオールパスフィルタを用いた理由を説明するための図である。
［図５］一実施形態の信号処理部における構成を示すブロック図である。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
入力された複数の音響信号に基づいて複数のスピーカを拡声させ、聴取者に対して臨場感のある音場空間を提供する立体音響再生装置であって、
前記聴取者の聴取位置に対して右方向から聴取させる音響信号を示す右信号および左方向から聴取させる音響信号を示す左信号を、聴取位置の前方から拡声させるための信号処理を行う信号処理手段と、
前記信号処理された右信号および左信号を前記聴取位置に対して前方に配置されたスピーカから出力させる出力手段と、
を備え、
前記信号処理手段が、
前方のスピーカから拡声された右信号の音像を前記聴取者の右側に形成させるとともに、前方のスピーカから拡声された左信号の音像を前記聴取者の左側に形成させるために前記右信号及び前記左信号夫々に与えるべき複数の周波数成分における遅延を、当該複数の周波数成分毎に、当該右信号及び当該左信号夫々に与えるべき位相に変換するオールパスフィルタ処理を、前記信号処理として前記拡声すべき右信号および左信号について行うことを特徴とする立体音響再生装置。
【請求項２】
請求項１に記載の立体音響再生装置において、
前記信号処理手段は、聴覚上定位が敏感な周波数帯域に与えるべき遅延に対応した位相との誤差が最小となるように、前記オールパスフィルタ処理を行うことを特徴とする立体音響装置。
【請求項３】
請求項２に記載の立体音響再生装置において、
前記聴覚上定位が敏感な周波数帯域とは５００ヘルツ以上２キロヘルツ以下であることを特徴とする立体音響装置。
【請求項４】
請求項１乃至３の何れか一項に記載の立体音響再生装置において、
前記出力手段が、前記オールパスフィルタ処理された右信号および左信号を前記臨場感のある音場空間を形成する際に主成分となるメイン信号と同一のスピーカから出力させることを特徴とする立体音響再生装置。
【請求項５】
請求項１乃至４の何れか一項に記載の立体音響再生装置において、
前記右信号及び前記左信号は、夫々、前記音場空間をサラウンド音場空間とするための右サラウンド信号及び左サラウンド信号であることを特徴とする立体音響再生装置。
【請求項６】
請求項１乃至４の何れか一項に記載の立体音響再生装置において、
前記右信号及び前記左信号は、夫々、前記音場空間をサラウンド音場以外のステレオ音場とするための右ステレオ信号及び左ステレオ信号であることを特徴とする立体音響再生装置。
【請求項７】
請求項１乃至６の何れか一項に記載の立体音響再生装置に含まれるコンピュータを、前記信号処理手段として機能させることを特徴とする立体音響再生用プログラム。
【手続補正２】
【補正対象書類名】明細書
【補正対象項目名】全文
【補正方法】変更
【補正の内容】
【発明の詳細な説明】
【技術分野】
【０００１】
本願は、臨場感のある音響再生を行う立体音響再生装置の技術分野に属する。
【背景技術】
【０００２】
近年、センタースピーカ、左右のフロントスピーカまたは左右のリアスピーカなどの複数のスピーカにそれぞれ再生音の役割を持たせ、各スピーカ毎に残響音の付加、周波数特性の変更を行うことにより、音声または音楽などの音を拡声するサラウンドシステムが実用に供されている。
【０００３】
このようなサラウンドシステムの代表的なものに、聴取者の前方にセンタースピーカおよびその左右に配置されるフロントスピーカと、当該聴取者の左右のリアまたは側方に配置されるサラウンドスピーカと、１２０Ｈｚ以下の低域だけを専用に拡声するサブウーファーと、から構成されるドルビー（登録商標）デジタル方式の５．１ｃｈ（チャンネル）サラウンド方式が知られており、最近では、サラウンドスピーカ（リアスピーカ）などを用いずにフロントスピーカのみでまたはヘッドホンによってサラウンドシステムを実現するものも製品化されている。
【０００４】
特に、ヘッドホンによってサラウンドシステムを実現するシステムとしては、拡声すべき音響信号の全ての周波数成分の位相のみを一体的に調整するオールパスフィルタを用いてメイン信号やサラウンド信号の信号処理を行い、各信号に音像定位を形成させて臨場感のある音場空間を提供するようになっている（例えば、特許文献１）。
【特許文献１】特開２００２−２６２３８５号公報
【発明の開示】
【発明が解決しようとする課題】
【０００５】
しかしながら、上述のサラウンドシステムにあっては、オールパスフィルタを用いることによって簡易な信号処理によりサラウンドシステムを実現するものの、当該サラウンドシステムは、ヘッドホンを用いたサラウンドシステムであって、スピーカ受聴を前提としたシステムでないため、複数の聴取者にて聴取する場合に人数分のヘッドホンが必要になるなど、システムの拡張性に乏しい。
【０００６】
本願は、上記の各問題点に鑑みて為されたもので、その課題の一例としては、簡易な信号処理にてサラウンドシステムをフロントスピーカにて実現する立体音響再生装置を提供することにある。
【課題を解決するための手段】
【０００７】
上記の課題を解決するために、請求項１に記載の発明は、入力された複数の音響信号に基づいて複数のスピーカを拡声させ、聴取者に対して臨場感のある音場空間を提供する立体音響再生装置であって、前記聴取者の聴取位置に対して右方向から聴取させる音響信号を示す右信号および左方向から聴取させる音響信号を示す左信号を、聴取位置の前方から拡声させるための信号処理を行う信号処理手段と、前記信号処理された右信号および左信号を前記聴取位置に対して前方に配置されたスピーカから出力させる出力手段と、を備え、前記信号処理手段が、前方のスピーカから拡声された右信号の音像を前記聴取者の右側に形成させるとともに、前方のスピーカから拡声された左信号の音像を前記聴取者の左側に形成させるために前記右信号及び前記左信号夫々に与えるべき複数の周波数成分における遅延を、当該複数の周波数成分毎に、当該右信号及び当該左信号夫々に与えるべき位相に変換するオールパスフィルタ処理を、前記信号処理として前記拡声すべき右信号および左信号について行う構成を有している。
【０００８】
上記の課題を解決するために、請求項７に記載の発明は、請求項１乃至６の何れか一項に記載の立体音響再生装置に含まれるコンピュータを、前記信号処理手段として機能させる。
【発明を実施するための最良の形態】
【０００９】
次に、本願に好適な実施の形態について、図面に基づいて説明する。
【００１０】
なお、以下に説明する実施形態は、５．１ｃｈのサラウンドシステム（以下、単に、サラウンドシステムという。）に対して本願の立体音響再生装置を適用した場合の実施形態である。
【００１１】
まず、図１および図２を用いて本実施形態におけるサラウンドシステムの構成について説明する。なお、図１は、本実施形態のサラウンドシステムの構成を示すブロック図であり、図２は、本実施形態のサラウンドシステムにおける各スピーカ配置の説明をするための一例である。
【００１２】
本実施形態のサラウンドシステム１００は、図１に示すように、リスニングルーム１０、すなわち、聴取者に対して再生される音を提供するための音場空間に設置されるようになっている。また、このサラウンドシステム１００は、記録メディアなどの音源を再生することにより、または、テレビジョン信号などの外部から音源を取得することにより、各スピーカに対応するチャンネル（以下、「チャネル」とも言う。）毎に当該各チャンネルに該当するオーディオ信号を出力する音源出力装置１１０と、当該音源出力装置１１０から出力された複数チャンネル毎に信号処理を行うとともに、全ての周波数成分の位相のみを一体的に調整するオールパスフィルタを用いたフィルタ処理を行う信号処理装置１２０と、各チャンネルに対応する各種のスピーカからなるスピーカシステム１３０と、から構成される。
【００１３】
そして、本実施形態のサラウンドシステム１００は、音源を再生または取得する場合に、当該再生されたまたは取得された音に対して所定の信号処理を行うとともに、複数のスピーカからなるスピーカシステム１３０によって信号処理された音を各スピーカ毎に拡声し、聴取者に対して臨場感（サラウンド感）のある音場空間を提供することができるようになっている。
【００１４】
特に、本実施形態のサラウンドシステム１００は、側方または後方に配置するサラウンド用のスピーカ（以下、「サラウンドスピーカ」という。）を設置せずに、当該サラウンドスピーカにて拡声すべきオーディオ信号（以下、「サラウンド信号」という。）に対してオールパスフィルタを用いたフィルタ処理を行い、当該フィルタ処理されたサラウンド信号を聴取位置に対して前方に設けられたスピーカ（以下、「フロントスピーカ」という。）のみによって拡声するようになっている。そして、このサラウンドシステム１００は、当該サラウンド信号があたかも側方または後方に設置されたサラウンドスピーカから拡声されたように、当該サラウンド信号の音像定位を制御するようになっている。
【００１５】
音源出力装置１１０は、例えば、ＣＤ（Compact Disc）またはＤＶＤ（Digital Versatile Disc）などのメディア再生装置またはデジタルテレビジョン放送を受信する受信装置から構成され、ＣＤなどの音源を再生することにより、または、放送された音源を取得するとともに、５．１ｃｈに対応する各チャンネル毎のオーディオ信号をデジタル信号によって信号処理装置１２０に出力するようになっている。
【００１６】
信号処理装置１２０には、音源出力装置１１０から出力された各チャンネル毎のオーディオ信号が入力されるようになっている。また、この信号処理装置１２０は、システム制御部１２５の制御の下、入力された各チャンネル毎のオーディオ信号に対して遅延時間の付加、残響時間の付加または各周波数成分の調整を行うとともに、オールパスフィルタを用いたフィルタ処理を行うようになっており、当該信号処理された各オーディオ信号をアナログ信号に変換して信号レベルを調整するようになっている。そして、この信号処理装置１２０は、信号レベルが調整された各オーディオ信号をスピーカシステム１３０の各スピーカに出力するようになっている。
【００１７】
なお、本実施形態における信号処理装置１２０の構成およびその動作の詳細については、後述する。
【００１８】
さらに、スピーカシステム１３０は、聴取者の前方正面に配置されるセンタースピーカ１３１と、聴取者の前方に配置されるとともにセンタースピーカ１３１の右側または左側に配置されるフロントスピーカ（以下、右側のフロントスピーカを「ＦＲスピーカ」といい、左側のフロントスピーカを「ＦＬスピーカ」という。）１３２ＦＲ、１３２ＦＬと、聴取者の前方に配置されるとともに、任意の位置に配置される低域再生用スピーカ（以下、「サブウーハ」という。）１３４と、を有し、例えば、図２に示すように配置されるようになっている。
【００１９】
なお、チャンネルとは、音源出力装置１１０から出力されるオーディオ信号の信号伝送路をいい、各チャンネルは、他のチャンネルと基本的には異なるオーディオ信号を伝送するようになっている。
【００２０】
次に、上述と同様に図１を用いるとともに、図３および図４を用いて本実施形態の信号処理装置１２０の構成およびその動作について説明する。なお、図３は、本実施形態の音像制御を説明するための図であり、図４は、本実施形態においてオールパスフィルタを用いた理由を説明するための図である。
【００２１】
通常、サラウンドスピーカが聴取者に対して左側方に設置されている場合に、当該サラウンドスピーカから所定の音が拡声されると、図３（ａ）に示すように、聴感上、右耳より左耳にて聴取される音のレベルが大きくなり、当該サラウンドスピーカから拡声された音の音像は、当該サラウンドスピーカが設置されている場所に形成される。
【００２２】
一方、図３（ｂ）に示すように、聴取者に対して左前方に設置されたスピーカ、すなわち、左側のフロントスピーカから所定の音が拡声されると、聴感上、左耳にて聴取される音のレベルが右耳より多少大きくなり、当該左フロントスピーカから拡声された音の音像は、当該左フロントスピーカが設置されている場所に形成される。
【００２３】
このため、図３（ｃ）のように、通常、聴取者に対して左側方に設置されたサラウンドスピーカに拡声するサラウンド信号をフロントスピーカにて拡声する場合に、図３（ａ）と同様に、聴感上、両耳間に生ずる音のレベルを調整すれば、フロントスピーカから拡声された音であっても、その音の音像は、聴取者に対して左側方にサラウンドスピーカが設置された場合と同様に、当該サラウンドスピーカが設置されるべき場所に形成されることになる。
【００２４】
そこで、本実施形態の信号処理装置１２０は、サラウンド信号を左右のフロントスピーカから拡声させるとともに、聴取位置にて両耳間にて音のレベル差が生ずるように、各周波数成分毎に各フロントスピーカから拡声させる際の遅延時間を付加し、すなわち、左右のフロントスピーカによって所定の位相差を与え、サラウンド信号成分を聴取位置において増幅し、または、打ち消し、フロントスピーカにて拡声した場合であっても、あたかも側方または後方に設置されたサラウンドスピーカから拡声されたように、音像を制御するようになっている。
【００２５】
また、本実施形態の信号処理装置１２０は、サラウンド信号に対して各周波数成分の位相を変化させる際に、全ての周波数成分の位相のみを一体的に調整するオールパスフィルタを用いるようになっている。
【００２６】
通常、本実施形態において、バンドパスフィルタを用いて所定の周波数帯域毎に位相を変化させることも可能である。しかしながら、バンドパスフィルタでは、図４に示すように、通過させる周波数帯域（通過域）と遮断する周波数帯域（減衰域）を厳密に区切ることができず、通過させる周波数帯域（通過域）と遮断する周波数帯域（減衰域）の間に遷移領域（遷移域）が存在することとなるため、バンドパスフィルタにて位相変化させた各周波数帯域を再度加算する場合に、遷移領域の周波数成分において振幅レベルの差が発生してしまう。
【００２７】
また、バンドパスフィルタを用いる場合には、有限インパルス応答（ＦＩＲ：Finite Impulse Response）型のフィルタ処理を行う必要があるため、フィルタ処理を行う際の演算量が多くなってしまう。
【００２８】
そこで、本実施形態の信号処理装置１２０は、的確にフィルタ処理を行うため、かつ、当該フィルタ処理を行う際の演算量を低減させるため、サラウンド信号に対して各周波数成分の位相を変化させる際に、全ての周波数成分の位相のみを一体的に調整するオールパスフィルタを用いるようになっている。
【００２９】
ただし、本実施形態の信号処理装置１２０は、オールパスフィルタを適用するために、所定の条件、すなわち、
（１）角周波数ω（ｒａｄ）＝０のとき、位相特性θ（ｒａｄ）＝０、
（２）角周波数ω（ｒａｄ）＝πのとき、位相特性θ（ｒａｄ）＝−Ｎπ（Ｎはフィルタの次数）、
（３）角周波数ω（ｒａｄ）に対して位相特性θ（ｒａｄ）は単調減少、
の条件を具備させつつ、フィルタ処理を行うようになっている。
【００３０】
具体的には、本実施形態の信号処理装置１２０は、図１に示すように、各チャンネル成分を有する所定の形式のビットストリームデータが入力され、各チャンネル毎のオーディオ信号にデコードする際に用いる信号形式のオーディオデータに変換する入力処理部１２１と、変換されたオーディオデータを各チャンネル毎のオーディオ信号にデコードするとともに、各チャンネル毎に信号処理、特に、サラウンド信号に対して全ての周波数成分の位相のみを一体的に調整するフィルタ処理を行い、フロントスピーカから拡声するための信号処理を行う信号処理部２００と、を有している。
【００３１】
また、この信号処理装置１２０は、各チャンネルのオーディオ信号に対してデジタル／アナログ（以下、Ｄ／Ａという。）変換を行うＤ／Ａ変換器１２２と、各チャンネル毎に各チャンネルの信号の信号レベルを増幅する電力増幅器１２３と、各部を操作するための操作部１２４と、操作部１２４の操作に基づいて各部を制御するシステム制御部１２５と、を有している。
【００３２】
なお、例えば、本実施形態のＤＳＰ処理部２０２は、本願の信号処理手段を構成し、電力増幅器１２３は、本願の出力手段を構成する。
【００３３】
入力処理部１２１には、各チャンネル成分を有する所定の形式のビットストリームデータが入力されるようになっており、この入力処理部１２１は、入力されたビットストリームデータを所定形式のオーディオデータに変換し、当該変換されたオーディオデータを信号処理部２００に出力するようになっている。
【００３４】
例えば、入力処理部１２１は、入力されたビットストリームデータを３線式オーディオシリアルインターフェースのオーディオデータに変換するようになっており、具体的には、ビットストリームデータを、ビットクロック信号、ＬＲクロック信号および圧縮音声データに変換して信号処理部２００に出力するようになっている。
【００３５】
信号処理部２００には、入力処理部１２１から出力されたオーディオデータが入力されるようになっており、この信号処理部２００は、入力されたオーディオデータを各チャンネル毎のオーディオ信号にデコードするとともに、各チャンネル毎に所定の信号処理を行い、各チャンネル毎にオーディオ信号をそれぞれ各Ｄ／Ａ変換器１２２に出力するようになっている。
【００３６】
なお、本実施形態における信号処理部２００の構成およびその動作の詳細については、後述する。
【００３７】
Ｄ／Ａ変換器１２２には、各チャンネル毎にそれぞれ信号処理が行われた各オーディオ信号が入力されるようになっており、このＤ／Ａ変換器１２２は、入力されたデジタル信号である各オーディオ信号をアナログ信号に変換して各電力増幅器１２３にそれぞれ出力するようになっている。
【００３８】
電力増幅器１２３には、各チャンネル毎に信号処理されたオーディオ信号が入力されるようになっており、この電力増幅器１２３は、システムシステム制御部１２５の制御の下、操作部１２４よって指定された音量の指示に基づいて各チャンネル毎のオーディオ信号の信号レベルを増幅し、増幅された各オーディオ信号を各チャンネルに対応する各スピーカに出力するようになっている。
【００３９】
操作部１２４は、各種確認ボタン、選択ボタン及び数字キー等の多数のキーを含むリモートコントロール装置または各種キーボタンにより構成されている。
【００４０】
システム制御部１２５は、各スピーカよりオーディオ信号を拡声して立体音響再生を行うための全般的な機能を総括的に制御するようになっている。
【００４１】
次に、図５〜図８を用いて本実施形態の信号処理部２００の構成およびその動作について説明する。なお、図５は、本実施形態の信号処理部２００における構成を示すブロック図であり、図６および図７は、本実施形態において、最適な位相特性に対して設計条件を加味して調整された位相特性θ（ｒａｄ）について説明するための図である。また、図８は、本実施形態のフィルタ処理部２０３の構成を示す構成図である。
【００４２】
本実施形態の信号処理部２００は、図５に示すように、入力されたオーディオデータを各チャンネル毎のオーディオ信号にデコードするデコーダ２０１と、ユーザの操作部１２４の操作により所定のデジタル信号処理を行うＤＳＰ処理部２０２と、サラウンド信号に対してフィルタ処理を行うフィルタ処理部２０３と、フィルタ処理されたサラウンド信号を、フロントスピーカから拡声するためのＤＳＰ処理されたオーディオ信号（以下、「メイン信号」という。）に信号レベルを調整しつつ加算する加算処理部２０５と、から構成される。
【００４３】
デコーダ２０１には、入力されたオーディオデータ、例えば、ビットクロック信号、ＬＲクロック信号および圧縮音声データが入力されるようになっており、このデコーダ２０１は、入力されたオーディオデータを、各チャンネル毎のオーディオ信号にデコードし、各チャンネル毎にＤＳＰ処理部２０２に出力するようになっている。
【００４４】
ＤＳＰ処理部２０２には、各チャンネル毎にデコードされたオーディオ信号が入力されるようになっており、このＤＳＰ処理部２０２は、システム制御部１２５の制御の下、操作部１２４から入力された指示に基づいて所定のデジタル信号処理を行い、信号処理された各チャンネル毎のオーディオ信号をフィルタ処理部２０３、加算処理部２０５またはＤ／Ａ変換部に出力するようになっている。
【００４５】
例えば、ＤＳＰ処理部２０２は、操作部１２４により、教会、スタジアム、または特定のホールなどの音場設定（以下、単に、「音場設定」という。）が行われた場合に、当該音場にて、入力されたオーディオデータが拡声されるように、各チャンネル毎に遅延処理、周波数特性の補正処理、任意のオーディ信号における他のチャンネルのオーディオ信号への加算処理などデジタル信号処理を行うようになっている。
【００４６】
なお、本実施形態では、サラウンド信号に対してフィルタ処理を行うつつ、メイン信号に加算するため、このＤＳＰ処理部２０２は、サラウンド信号については加算処理部２０５およびフィルタ処理部２０３に、メイン信号については加算処理部２０５にそれぞれ出力するようになっている。
【００４７】
また、センタースピーカ１３１から拡声されるオーディオ信号（以下、「センタ信号」という）およびサブウーハ１３４から拡声されるオーディオ信号（以下、「ウーハ信号」という。）には、フィルタ処理を行う必要がないので、このＤＳＰ処理部２０２は、センタ信号およびウーハ信号をそれぞれＤ／Ａ変換器１２２に直接的に出力するようになっている。
【００４８】
フィルタ処理部２０３は、サラウンド信号毎に設けられ、各サラウンド信号毎に、各周波数成分の遅延量が付加されたサラウンド信号（以下、「サラウンド生成信号」という。）を生成し、加算処理部２０５に出力する。
【００４９】
加算処理部２０５は、当該サラウンド生成信号を遅延量が付加されていないサラウンド信号（以下、「サラウンド通常信号」という。）に加算しつつ、メイン信号に加算するようになっている。
【００５０】
本実施形態の各フィルタ処理部２０３には、それぞれ、各サラウンド信号が入力されるようになっている。また、この各フィルタ処理部２０３は、入力されたサラウンド信号に対して各周波数成分に遅延処理を行う場合に、当該遅延処理を位相変化とみなし、最適な遅延量を位相に換算してフィルタ処理を行うようになっている。そして、この各フィルタ処理部２０３は、実験により算出された最適な位相特性に対して上述のオールパスフィルタの設計条件に適合させた位相特性、すなわち、各位相差（位相値）を用いて全ての周波数成分の位相のみを一体的に調整するフィルタ処理を実行するようになっている。
【００５１】
具体的には、本実施形態の各フィルタ処理部２０３は、フィルタ処理を行う場合に、遅延時間に角周波数ω（ｒａｄ）を乗算して位相値に換算し、当該換算された各周波数成分の位相値を用いて入力されたサラウンド信号に対して各周波数成分の位相を変化させるフィルタ処理を行うようになっている。
【００５２】
また、本実施形態では、実験により算出された最適値に対して上述のオールパスフィルタの設計条件に適合させる位相値を用いてフィルタ処理を行うため、特に、設計条件として角周波数ω（ｒａｄ）に対して位相特性θ（ｒａｄ）を単調減少させるため、最適と算出された位相特性が周波数の増加に対して単調減少するよう調整しており、本実施形態のフィルタ処理部２０３は、当該調整された位相特性（位相値）を用いることによって、フィルタ処理を行うようになっている。
【００５３】
例えば、本実施形態では、図６（ａ）および同図（ｂ）に示すように、最適な位相特性θ（ｒａｄ）が単調減少でない場合には、当該位相特性θ（ｒａｄ）が単調減少になるように、すなわち、位相特性θ（ｒａｄ）が単調減少であり、かつ、元の特性との誤差がなるべく小さくなるような位相特性を示すように、当該位相特性を調整し、本実施形態のフィルタ処理部２０３は、当該調整された位相特性を用いることによって、フィルタ処理を行うようになっている。
【００５４】
なお、最適な位相特性θ（ｒａｄ）が単調減少でない場合に、例えば、図７（ａ）および同図（ｂ）に示すように、聴感上最も敏感である５００Ｈｚ〜２ｋＨｚを中心に位相特性θ（ｒａｄ）を調整してもよい。特に、この周波数帯域において、図７（ｂ）に示すように、その位相特性が増加する場合であっても、全体的には単調減少となるように位相特性を調整し、当該調整された位相特性を用いてフィルタ処理を行うようにしてもよい。これにより、本実施形態では、さらに的確に音像制御を行うことができるようになる。
【００５５】
一方、本実施形態の各フィルタ処理部２０３は、図８に示すように、例えば、ｎ列縦続接続した２次の無限インパルス応答（ＩＩＲ：Infinite Impulse Response）フィルタを用いて構成し、全ての周波数成分の位相のみを一体的に調整するフィルタ処理を実行するようになっている。
【００５６】
なお、図８において、（Ｚ−１）は、サンプリングの１周期だけ遅延させる遅延素子を示し、ＡおよびＢは、所定の係数を示す。
【００５７】
加算処理部２０５には、各メイン信号、各サラウンド信号および各フィルタ処理部２０３から出力されたサラウンド信号が入力されるようになっており、システム制御部１２５の制御の下、サラウンド信号をメイン信号に加算し、当該各メイン信号をそれぞれの各Ｄ／Ａ変換器１２２に出力するようになっている。
【００５８】
具体的には、本実施形態の加算処理部２０５は、フィルタ処理された各サラウンド生成信号を左右異なる成分のサラウンド通常信号に、信号レベルを調整しつつ、加算するとともに、各サラウンド生成信号が加算されたサラウンド通常信号を左右異なる成分のメイン信号に加算するようになっている。
【００５９】
例えば、本実施形態の加算処理部２０５は、左サラウンドスピーカにて拡声すべき左側のサラウンドスピーカ用のサラウンド信号（以下、「左サラウンド信号」という。）に対しては、フィルタ処理された右側のサラウンドスピーカ用のサラウンド生成信号（以下、「右サラウンド生成信号」という。）を加算し、かつ、ＦＬスピーカ１３２ＦＬに出力するメイン信号（以下、「左メイン信号」という。）に加算するようになっている。また、本実施形態の加算処理部２０５は、右サラウンドスピーカにて拡声すべき右サラウンドスピーカ用のサラウンド信号（以下、「右サラウンド信号」という。）に対しては、フィルタ処理された左サラウンドスピーカ用のサラウンド生成信号（以下、「左サラウンド生成信号」という。）を加算し、かつ、ＦＲスピーカ１３２ＦＲに出力するメイン信号（以下、「右メイン信号」という。）に加算するようになっている。
【００６０】
以上本実施形態の信号処理装置１２０は、入力された複数のオーディオ信号に基づいて複数のスピーカを拡声させ、聴取者に対して臨場感のある音場空間を提供する信号処理装置１２０であって、聴取者の聴取位置に対して右方向から聴取させるオーディオ信号を示す右サラウンド信号および左方向から聴取させるオーディオ信号を示す左サラウンド信号を、聴取位置の前方から拡声させるための信号処理を行う信号処理部２００と、信号処理された右サラウンド信号および左サラウンド信号を聴取位置に対して前方に配置されたスピーカから出力させる電力増幅器１２３と、を備え、信号処理部２００が、拡声すべき右サラウンド信号および左サラウンド信号の全ての周波数成分の位相のみを一体的に調整するフィルタ処理を行うことによって、前方のスピーカから拡声された右サラウンド信号の音像を聴取者の右側に形成させるとともに、前方のスピーカから拡声された左サラウンド信号の音像を聴取者の左側に形成させるための信号処理を行う構成を有している。
【００６１】
この構成により、本実施形態の信号処理装置１２０は、拡声すべき右サラウンド信号および左サラウンド信号の全ての周波数成分の位相のみを一体的に調整するフィルタ処理を行うことによって、前方のスピーカから拡声された右サラウンド信号の音像を聴取者の右側に形成させるとともに、前方のスピーカから拡声された左サラウンド信号の音像を聴取者の左側に形成させるための信号処理を行う。
【００６２】
したがって、本実施形態の信号処理装置１２０は、サラウンドスピーカを配置することなく、左サラウンド信号および右サラウンド信号の音像をそれぞれサラウンドスピーカが存在すべき位置に形成することができるとともに、バンドパスフィルタおよび有限インパルス応答（ＦＩＲ：Finite Impulse Response）型のフィルタ処理などバンドパスフィルタを用いた遅延処理（フィルタ処理）に比べ、演算量を低減することができ、およびフィルタ処理における振幅レベルの不整合性を生じさせないので、簡易な信号処理にてサラウンドシステム１００をフロントスピーカのみよって実現することができる。
【００６３】
また、本実施形態の信号処理装置１２０は、信号処理部２００が、オールパスフィルタの設計条件を具備する位相特性を用いてフィルタ処理を行う構成を有している。
【００６４】
この構成により、本実施形態の信号処理装置１２０は、フィルタ処理を行う際にオールパスフィルタを用いることができるので、バンドパスフィルタおよび有限インパルス応答型のフィルタ処理などバンドパスフィルタを用いた遅延処理に比べ、演算量を低減することができるとともに、フィルタ処理における振幅レベルの不整合性を生じさせない。
【００６５】
なお、上述した実施形態では、聴取者に対してサラウンド音場としての音場空間を提供するサラウンドシステム１００に対して本願を適用した場合（図３参照）について説明したが、これ以外に、例えば図９に例示するように、現実のフロントスピーカの位置よりも聴取者から見てより外側に拡がった位置に仮想の音像が定位するような音場空間を提供する音響システムに対して本願を適用することも可能である。
【００６６】
この場合には、信号処理部２００における処理に供される遅延量等のパラメータを、予め設定されている仮想音像の位置（図９参照）から音が聞こえる各パラメータとなるように設定することとなる。
【００６７】
より具体的には、信号処理部２００の処理によって生じさせる両耳間の音のレベル差を、仮想音像の位置にスピーカを配置した場合に生ずる両耳間の音のレベル差に一致させるように、各パラメータを設定すればよい。
【００６８】
この構成より、例えば通常のステレオ信号（サラウンド音場用のサラウンド信号以外のステレオ信号）を再生する場合でも、対応する音像を現実のフロントスピーカの位置よりもより外側に定位させることで、より広がりのあるステレオ信号の再生を実現するこができる。
【図面の簡単な説明】
【００６９】
【図１】本願に係る一実施形態のサラウンドシステムにおける構成を示すブロック図である。
【図２】一実施形態のサラウンドシステムにおける各スピーカ配置の説明をするための一例である。
【図３】一実施形態の音像制御を説明するための図である。
【図４】一実施形態においてオールパスフィルタを用いた理由を説明するための図である。
【図５】一実施形態の信号処理部における構成を示すブロック図である。
【図６】一実施形態において、最適な位相特性に対して設計条件を加味して調整された位相特性θ（ｒａｄ）について説明するための図（Ｉ）である。
【図７】一実施形態において、最適な位相特性に対して設計条件を加味して調整された位相特性θ（ｒａｄ）について説明するための図（II）である。
【図８】一実施形態のフィルタ処理部の構成を示す構成図である。
【図９】変形形態の音像制御を説明するための図である。
【符号の説明】
【００７０】
１００    サラウンドシステム
１１０    音源出力装置
１２０    信号処理装置
１２２    Ｄ／Ａ変換器
１２３    電力増幅器
１２４    操作部
１２５    システム制御部
１３０    スピーカシステム
１３１    センタースピーカ
１３２    ＦＬ（フロント左）スピーカ
１３３    ＦＲ（フロント右）スピーカ
１３６    サブウーハ
２００    信号処理部
２０１    デコーダ
２０２    ＤＳＰ処理部
２０３    フィルタ処理部
２０５    加算処理部
【国際調査報告】
2007108301.tif 000012
2007108301.tif 000013
2007108301.tif 000014
2007108301.tif 000015
2007108301.tif 000016
2007108301.tif 000017
2007108301.tif 000018
2007108301.tif 000019
2007108301.tif 000020
2007108301.tif 000021